(57)【要約】【課題】携帯端末が有する電子メール機能を携帯端末に外部接続される機器で活用することができる携帯端末及び情報端末装置を提供する。【解決手段】携帯端末２と情報端末装置３夫々に互いに有線で通信が可能なインタフェース部２６、３４を設けて、メール情報等のデータの授受を行うことを可能とし、携帯端末２からのメール情報を情報端末装置３の表示部３３に表示すると共に、情報端末装置３のキーボード３１を使って携帯端末２におけるメール作成を可能とする。【選択図】図１
2008310583.tif 000002
【特許請求の範囲】
【請求項１】
電子メールの送受信を行うメール送受信機能を有する携帯端末において、
表示手段と、
前記表示手段に表示されたメール情報を外部の情報端末装置に送信すると共に、前記情報端末装置の操作部にて入力された情報を受信する通信手段と、
を備える携帯端末。
【請求項２】
前記通信手段は、メール情報の他に、前記携帯端末の外観の一部又は全部を示す端末画像情報を前記情報端末装置に送信する請求項１に記載の携帯端末。
【請求項３】
電子メールの送信先のメールアドレスや前記送信先の携帯端末の携帯端末情報を登録可能な電話帳登録手段と、
前記電話帳登録手段の登録情報から電子メールの送信先を選択する選択手段と、
を備え、
前記通信手段は、前記選択手段で選択された前記送信先の携帯端末の携帯端末情報が前記電話帳登録手段に登録されている場合、前記送信先の携帯端末からのメール情報を前記情報端末装置に送信する請求項１又は請求項２に記載の携帯端末。
【請求項４】
前記通信手段は、前記送信先の携帯端末からのメール情報の他に、前記送信先の携帯端末の外観の一部又は全部を示す端末画像情報を前記情報端末装置に送信する請求項３に記載の携帯端末。
【請求項５】
前記通信手段は、前記携帯端末で電子メールを操作するキーボードのキー割当情報を前記情報端末装置に送信する請求項１乃至請求項４のいずれかに記載の携帯端末。
【請求項６】
請求項１乃至請求項５のいずれかに記載の携帯端末と有線又は無線で接続を行う接続手段と、
表示手段と、
前記携帯端末から送られてきたメール情報を前記表示手段に表示する表示制御手段と、
文字や記号を入力するための入力手段と、
前記表示手段に表示されているメール情報に対して前記入力手段にて文字や記号の修正や追加入力があると、文字や記号の修正や追加入力によるメール書き換え情報を前記接続手段から前記携帯端末に送信する通信手段と、
を備える情報端末装置。
【発明の詳細な説明】
【技術分野】
【０００１】
本発明は、電子メール送受信機能を有する携帯端末及びコンピュータ等の情報端末装置に関する。
【背景技術】
【０００２】
従来、電子メール送受信機能を有する携帯電話機等の携帯端末に接続して、携帯端末における電子メールの入力作業を補助する外部装置として、小型キーボードとインタフェース部が一体になったものがある。この外部装置は、主にキーボードでの文書作成を可能にすることで、入力作業を補助するもので、簡単に文字を入力できるという特徴を有している。
【０００３】
特許文献１には、電話機端末に接続する外部インタフェース部と、電子メールの内容及び選択画面等を表示する表示部と、電子メールアドレス、送信文書作成用テンプレートファイル、着信メール等を記憶する記憶部と、着信メールを音声出力するための音声変換部と、これら各部を制御する制御部とを備え、電話機端末のテンキーを操作することによって、電子メールの送受信を行えると共に、記憶部に記憶されたテンプレートの編集又は直接入力による電子メールの内容の作成を行える技術が開示されている。
【０００４】
また、特許文献２には、文字入力システムを搭載した携帯電話等の携帯端末にBluetooth（登録商標）等の近距離無線通信手段を用いて、コンピュータや双方向テレビのデジタル家電の表示画面上に文字入力を行うことや、遠隔キーボードを用いて遠隔で文字入力を行うための技術が開示されている。
【０００５】
【特許文献１】特開２００１−１０９６８３号公報
【特許文献２】特開２００３−０５８３０５号公報
【発明の開示】
【発明が解決しようとする課題】
【０００６】
しかしながら、上述した従来技術は以下に示す問題がある。即ち、小型キーボードとインタフェース部が一体になった外部装置では、機能が限定されるので、文書入力などの限られた使用用途でしかなかった。
【０００７】
また、特許文献１に示される技術では、コンピュータのキーボードには電話機端末についている機能キーやナビゲーションキーに相当する部分がなく、電話機端末の機能を十分活用することが困難である。また、通信相手の端末の表示状態を意識することなくメールを作成するため、通信相手の端末の表示状態に合わせた最適な表示を提供することができない。同様に特許文献２に示される技術でも、コンピュータのキーボードには電話機端末についている機能キーやナビゲーションキーに相当する部分がなく、電話機端末の機能を十分活用することが困難である。
【０００８】
本発明は、係る事情に鑑みてなされたものであり、携帯端末が有する電子メール機能を携帯端末に外部接続される機器で活用することができる携帯端末及び情報端末装置を提供することを目的とする。
【課題を解決するための手段】
【０００９】
本発明の携帯端末は、電子メールの送受信を行うメール送受信機能を有する携帯端末において、表示手段と、前記表示手段に表示されたメール情報を外部の情報端末装置に送信すると共に、前記情報端末装置の操作部にて入力された情報を受信する通信手段と、を備える。
【００１０】
上記構成によれば、携帯端末で表示しているメール情報を情報端末装置に送信するので、携帯端末のメール情報を情報端末装置の大きな画面で見ることができる。これにより、携帯端末が有する電子メール機能を携帯端末に外部接続される機器で活用することができる。
【００１１】
また、上記構成において、前記通信手段は、メール情報の他に、前記携帯端末の外観の一部又は全部を示す端末画像情報を前記情報端末装置に送信する。
【００１２】
上記構成によれば、携帯端末で表示しているメール情報の他に、該携帯端末の外観の一部又は全部を示す端末画像情報を情報端末装置に送信するので、携帯端末のメール情報と携帯端末自体を情報端末装置の画面で見ることができる。
【００１３】
また、上記構成において、電子メールの送信先のメールアドレスや前記送信先の携帯端末の携帯端末情報を登録可能な電話帳登録手段と、前記電話帳登録手段の登録情報から電子メールの送信先を選択する選択手段と、を備え、前記通信手段は、前記選択手段で選択された前記送信先の携帯端末の携帯端末情報が前記電話帳登録手段に登録さている場合、前記送信先の携帯端末からのメール情報を前記情報端末装置に送信する。
【００１４】
上記構成によれば、電話帳にメール送信先の携帯端末の機種情報である携帯端末情報を予め登録しておくことで、メールを作成する際に、電話帳からメールアドレスと携帯端末情報を読み出して情報端末装置の画面に反映させることができる。これにより、送信先の携帯端末の表示手段の特性に合った位置で改行を行うことができる。即ち、携帯電話は機種毎に液晶のドッド数や大きさなど仕様が異なるので、送信先の携帯電話の機種によっては思わぬ位置で改行がされてしまっていたりすることが多いが、予め携帯電話の機種情報を情報端末装置で確認することで、そのような問題を回避することができる。
【００１５】
また、上記構成において、前記通信手段は、前記送信先の携帯端末からのメール情報の他に、前記送信先の携帯端末の外観の一部又は全部を示す端末画像情報を前記情報端末装置に送信する。
【００１６】
上記構成によれば、メールの送信先の携帯端末で表示しているメール情報の他に、該携帯端末の外観の一部又は全部を示す端末画像情報を情報端末装置に送信するので、メール送信先の携帯端末のメール情報と該携帯端末自体を情報端末装置の大きな画面で見ることができる。
【００１７】
また、上記構成において、前記通信手段は、前記携帯端末で電子メールを操作するキーボードのキー割当情報を前記情報端末装置に送信する。
【００１８】
上記構成によれば、携帯端末で電子メールを操作するキーボードのキー割当情報を情報端末装置に送信するので、情報端末装置のキーボードに携帯端末の電子メール操作用のキーを割り当てることができる。これにより、情報端末装置で携帯端末のメールを作成したり追加・修正したりすることができる。つまり、携帯端末でのメール作成を情報端末装置（例えば、パソコン）で行えるので、携帯端末でメールを作成するよりも、簡単に作成することができる。例えば、会社で机に向かっているときに、携帯電話にメール着信があった場合、パソコンの画面とキーボードを使って簡単に返信できる。
【００１９】
本発明の情報端末装置は、上記携帯端末と有線又は無線で接続を行う接続手段と、表示手段と、前記携帯端末から送られてきたメール情報を前記表示手段に表示する表示制御手段と、文字や記号を入力するための入力手段と、前記表示手段に表示されているメール情報に対して前記入力手段にて文字や記号の修正や追加入力があると、文字や記号の修正や追加入力によるメール書き換え情報を前記接続手段から前記携帯端末に送信する通信手段と、を備える。
【００２０】
上記構成によれば、情報端末装置側で携帯端末のメール情報を表示したり、メール情報を書き換えたりすることができる。
【発明の効果】
【００２１】
以上のように本発明は、携帯端末の通信機能及びメール機能と、情報端末装置の表示機能とを相互的に活用し、電子メールの内容を容易に作成できる。さらに、通信相手先の携帯端末の画面表示情報に基づき、受信側で表示する状態を情報端末装置の画面上で再現することにより、通信相手にも見やすい電子メールの作成を行うことができる効果を有する。
【発明の実施するための最良の形態】
【００２２】
以下、本発明を実施するための好適な実施の形態について、図面を参照して詳細に説明する。
【００２３】
（実施の形態１）
図１は、本発明の実施の形態１に係る通信システムの概略構成を示すブロック図である。同図において、本実施の形態に係る通信システム１は、携帯電話機等の携帯端末２と、ノートパソコン、デスクトップパソコン、ＰＤＡ（Personal Digital Assistant）等の情報端末装置３とを備える。携帯端末２は、図示せぬ基地局を介した通信を行うための無線部２１と、この無線部２１に用いられる通信用のアンテナ２２と、テンキーや電源キー、各種機能設定用アプリケーションキーから成るキーボード（ＫＢ）２３と、電話帳やアドレス帳、写真やプリケーションなどを保存するメモリ２４と、各種情報を表示する表示部２５と、携帯端末２と情報端末装置３とを有線接続するインタフェース部２６と、装置各部を制御する制御部２７とを主に備えている。
【００２４】
情報端末装置３は、数字、アルファベット、ひらがな、カタカナ等を入力するためのキーボード（ＫＢ）３１と、データを保存するメモリ３２と、各種情報を表示する表示部３３と、情報端末装置３と携帯端末２とを有線接続するインタフェース部３４と、装置各部を制御する制御部３５とを主に備えている。携帯端末２と情報端末装置３はインタフェースケーブル４を介して接続されている。
【００２５】
なお、携帯端末２において、表示部２５は表示手段に対応する。また、インタフェース部２６と制御部２７は通信手段を構成する。また、キーボード２３と制御部２７は選択手段を構成する。また、メモリ２４と制御部２７は電話帳登録手段を構成する。情報端末装置３において、インタフェース部３４は接続手段に対応する。また、表示部３３は表示手段に対応する。また、制御部３５は表示制御手段に対応する。また、キーボード３１は入力手段に対応する。また、インタフェース部３４と制御部３５は通信手段を構成する。
【００２６】
図２は、携帯端末２と情報端末装置３との間のデータのやりとりを示すシーケンス図である。同図において、まず携帯端末２から情報端末装置３に認証要求が送られ、情報端末装置３で認証が確認されると、情報端末装置３から携帯端末２に認証確認が送られる。ここまでの動作は、携帯端末２と情報端末装置３をインタフェースケーブル４で接続した際に自動で行うことが可能である。携帯端末２と情報端末装置３との間で認証が行われた後、携帯端末２がメール操作中であれば（ユーザが携帯端末２でメール操作を行っている最中であれば）、メール情報の転送により、携帯端末２のメール情報が情報端末装置３に転送される。
【００２７】
そして、携帯端末２と情報端末装置３との間で同期がとられた後、データの相互授受が行われる。これにより、携帯端末２のキーボード２３と情報端末装置３のキーボード３１のいずれも使用することが可能となる。例えば情報端末装置３のキーボード３１からメール書き換え情報を入力することにより、携帯端末２のメール内容を更新することができる。また、携帯端末２から情報端末装置３に切断要求を行い、通信を切断することもできる。
【００２８】
図３は、携帯端末２と情報端末装置３におけるメール送受信における動作を示すフロー図である。携帯端末２と情報端末装置３との間で接続が開始され、認証が行われる（ステップＳＴ２０１）。次いで、携帯端末２のメールが起動しているかどうか判定する（ステップＳＴ２０２）。メールが起動している場合は携帯端末２のメール情報を情報端末装置３に転送し（ステップＳＴ２０３）、情報端末装置３の表示部３３に携帯端末２のメール画像を表示する（ステップＳＴ２０７）。文字の入力に関しては、メール操作を情報端末装置３のキーボード３１又は携帯端末２のキーボード２３のどちらも使用可とする（ステップＳＴ２０８）。そして、携帯端末２のメールが終了しているかどうか判定し（ステップＳＴ２０９）、メールが終了している場合は携帯端末２と情報端末装置３の接続を解除する（ステップＳＴ２１０）。
【００２９】
ここで、メール画像は上下筺体から成る折畳み型の携帯端末を例に示すと、図４の（ａ）のように、携帯端末２及び情報端末装置３のどちらにも表示される。情報端末装置３は、メールそのものを表示するメール画像（図示略）以外に、図４の（ｂ）のように、携帯端末２の上筺体を含む携帯端末画像や、図４の（ｃ）のように、携帯端末２の上筺体に加え、機能ナビゲーションキー部分を含む携帯端末画像、また図４の（ｄ）のように、携帯端末２全体を含む携帯端末画像を表示することもできる。
【００３０】
携帯端末２の携帯端末画像は、携帯端末２からデータを情報端末装置３に送信しても良いし、予め情報端末装置３にアプリケーションとしてインストールしておくことも可能である。また、情報端末装置３に表示されるメール画像及び携帯端末画像は、操作により拡大や縮小を行うことができ、見易さや操作性をユーザが任意に調整することもできる。
【００３１】
また、携帯端末２にあって情報端末装置３にない「機能キー」、「ナビゲーションキー」等については、情報端末装置３のキーボード３１の一部のキーをそれに割り当てることができる。
【００３２】
また、情報端末装置３のキーボード３１を操作することで、情報端末装置３に表示する携帯端末２のキーボード部分の該当するキーの表示色を変化させることができる。これにより、キーの誤入力を防止することができる。
【００３３】
また、情報端末装置３が保持している画像等のファイルを情報端末装置３のキーボード３１やマウス（図示略）を操作して、携帯端末２の添付ファイルにコピーを貼付けることも、情報端末装置３の画面上で行うことができる。
【００３４】
このように実施の形態１に係る通信システム１によれば、携帯端末２と情報端末装置３は、互いに有線で通信が可能なインタフェース部２６、３４を有し、また携帯端末２は、ユーザによってメール作成操作が行われた場合、インタフェース部２６を介してメール情報を情報端末装置３に送信し、情報端末装置３は、携帯端末２から送られてきたメール情報を表示部３３に表示するので、携帯端末２が有する電子メール機能を携帯端末２に外部接続される情報端末装置３で活用することができる。
【００３５】
また、情報端末装置３において、携帯端末２におけるメール作成を情報端末装置３のキーボード３１で行うことができるので、携帯端末２のテンキーでメールを作成するよりも簡単にメール作成ができる。例えば、会社で机に向かっているときに、携帯電話にメール着信があった場合、パソコンの画面とキーボードを使って簡単に返信することができる。
【００３６】
また、情報端末装置３において、携帯端末２から送られてきたメール情報を表示する以外に、携帯端末２から送られてくるか、あるいは情報端末装置３が予め記憶している携帯端末２の一部又は全部を示す画像を表示するので、メールを作成する場合、あたかも携帯端末２でメールを作成している雰囲気を演出できる。
【００３７】
また、情報端末装置３において、携帯端末２にあって情報端末装置３には無い「機能キー」や「ナビゲーションキー」等を情報端末装置３のキーボード３１の一部のキーに割り当てることができるので、メール作成や送受信を効率良く行える。
【００３８】
また、情報端末装置３において、キーボード３１が操作された場合に、情報端末装置３に表示する携帯端末２のキーボード部分の該当するキーの表示色を変化させるので、キーの誤入力を防止できる。
【００３９】
また、情報端末装置３において、情報端末装置３のキーボード３１やマウス（図示略）を操作して、情報端末装置３が保持している画像等のファイルを携帯端末２の添付ファイルにコピーしたり貼付けたりすることができ、しかもその操作を情報端末装置３の画面上で行うことができる。
【００４０】
（実施の形態２）
図５は、本発明の実施の形態２に係る通信システムの概略構成を示すブロック図である。なお、同図において前述した図１に示した実施の形態１の通信システム１と共通する部分には同一の符号を付けている。前述した実施の形態１の通信システム１では、携帯端末２と情報端末装置３とを接続するインタフェースが有線仕様であったが、実施の形態２の通信システム５では無線仕様としている。
【００４１】
携帯端末６は、無線通信モジュール６１を有し、この無線通信モジュール６１にインタフェース部２６が接続される。無線通信モジュール６１にはローカル通信用のアンテナ６２が接続される。情報端末装置７は、無線通信モジュール７１を有し、この無線通信モジュール７１にインタフェース部３４が接続される。無線通信モジュール７１にはローカル通信用のアンテナ７２が接続される。
【００４２】
携帯端末６と情報端末装置７は、無線通信モジュール６１、７１及びローカル通信用のアンテナ６２、７２を用いた無線通信によってデータの送受信を行う。無線通信モジュール６１、７１には無線ＬＡＮ用やBluetooth（登録商標）等の近距離無線通信モジュールや赤外線通信モジュールが用いられる。
【００４３】
携帯端末６のメモリ２４には、メールアドレスを含む電話帳が格納されており、キーボード２３を操作することで所望のメール送信相手のメールアドレスを選択することができる。また、メモリ２４の電話帳には、メール送信先の携帯端末の機種情報である携帯端末情報も含まれている。ここで、携帯端末情報とは、携帯端末６の液晶縦横解像度や文字の大きさ、文字フォント、文字色及び携帯端末６の外観やキーボード、ナビキーなどのマンマシンインターフェースを含む操作部、アプリケーションソフトなどを示す情報である。
【００４４】
携帯端末情報は携帯端末の機種毎に異なることから、メール送信相手の携帯端末の機種に応じてメールアドレスとともに登録しておくこと良い。携帯端末情報を予め登録しておくことで、メールを作成する際に携帯端末情報をメールアドレスとともに電話帳から読み出して情報端末装置７の画面に反映させた場合に、メールの送信相手の携帯端末の表示部の仕様（例えば、液晶の解像度や形状等）に合わせて、拡大や縮小をして表示することができる。例えば、携帯電話は機種毎に液晶の解像度や大きさが異なることが多いので、メール送信先の携帯電話では、画像の大きさや解像度によっては表示できない場合がある。また、メールの送信相手の表示部の仕様（例えば、一行あたりの文字数）に合った位置で改行ができるようになる。例えば、携帯電話は機種毎に液晶の解像度や大きさが異なったり、ユーザ設定により表示する文字フォントが異なることがあり、表示部に表示される一行あたりの文字数が異なると、メール送信先の携帯電話では、思わぬ位置で改行がされてしまったりすることが多いが、本発明では、この問題を解決することができる。
【００４５】
携帯端末６の制御部２７は、ユーザが選択したメール送信相手の携帯端末の携帯端末情報が電話帳にあれば、メール送信相手の携帯端末（この携帯端末の符号を６Ａとする）からのメール情報を無線通信モジュール６１から情報端末装置７に送信する。情報端末装置７では、携帯端末６から送られてきたメール送信相手（携帯端末６Ａ）のメール情報を表示部３３に表示する。これにより、メール送信相手（携帯端末６Ａ）のメール情報を情報端末装置７の大きな画面で見ることができる。
【００４６】
また、制御部２７は、メール送信相手の携帯端末６Ａからのメール情報の他に、携帯端末６Ａの外観の一部又は全部を示す端末画像情報を無線通信モジュール６１から情報端末装置７に送信することも可能である。メール送信相手の携帯端末６Ａの携帯端末画像を、携帯端末６Ａからのデータとして情報端末装置７に送信しても良いし、予め情報端末装置７にアプリケーションとしてインストールしておくことも可能である。また、情報端末装置７に表示されるメール画像及び携帯端末画像を、操作によって拡大したり縮小したりすりことができるようにすることも可能である。すなわち、見易さや操作性をユーザが任意に調整することも可能である。
【００４７】
携帯端末６と情報端末装置７との間のデータのやりとりは、図２のシーケンス図に示す内容と同一であるので、ここでは省略する。
【００４８】
図６は、携帯端末６と情報端末装置７におけるメール送受信における動作を示すフロー図である。同図において、携帯端末６と情報端末装置７との間で接続が開始され、認証が行われる（ステップＳＴ２０１）。次いで、携帯端末６のメールが起動しているかどうか判定する（ステップＳＴ２０２）。メールが起動している場合は携帯端末６のメール情報を情報端末装置７に転送する（ステップＳＴ２０３）。メールを転送する場合、まず電話帳によりメールの送信相手を指定したかどうか判定し（ステップＳＴ２０４）、メールの送信相手を指定した場合、メール送信相手の携帯端末６Ａの携帯端末情報を持っているかどうか判定する（ステップＳＴ２０５）。メール送信相手の携帯端末６Ａの携帯端末情報を持っている場合は、情報端末装置７の表示部３３にメール送信相手の携帯端末６Ａのメール画像を表示する（ステップＳＴ２０６）。上述したように、携帯端末情報を持つことで、情報端末装置３の画面において、メール送信相手の携帯端末６Ａの表示部２５の仕様（液晶の解像度や形状等）に合った位置で改行できるようになる。
【００４９】
一方、ステップＳＴ２０４でメール送信相手を指定しない場合や、ステップＳＴ２０５でメール送信相手の携帯端末６Ａの携帯端末情報を持っていない場合は、情報端末装置７に携帯端末６のメール画像を表示する（ステップＳＴ２０７）。
【００５０】
文字（記号を含む）の入力に関しては、メール操作を情報端末装置７のキーボード３１又は携帯端末６のキーボード２３のいずれも使用可とする（ステップＳＴ２０８）。
【００５１】
そして、携帯端末６のメールが終了しているかどうか判定し（ステップＳＴ２０９）、メールが終了していなければステップＳＴ２０４に戻り、メールが終了していれば携帯端末６と情報端末装置７の接続を解除する（ステップＳＴ２１０）。
【００５２】
ここで、メール画像の表示は、上下筺体から成る折畳み型の携帯端末を例に示すと、図７のように、携帯端末６及び情報端末装置７のどちらにもメール表示される。ここでは先程説明した図６のフローチャートでメール送信相手の携帯端末６Ａの携帯端末情報を持っているかどうかの判定（ステップＳＴ２０５）でＹＥＳの選択した場合の例を示す。メール送信相手の携帯端末６Ａの携帯端末情報に基づき、メール送信相手の携帯端末６Ａからのメール画像を情報端末装置７の表示部３３に表示する。
【００５３】
なお、上述したように、予め携帯端末６の電話帳にメール送信相手の携帯端末６Ａの携帯端末情報を登録しておくことで、表示データを情報端末装置７に送信することができる。また、携帯端末情報を情報端末装置７のアプリケーションとして情報端末装置７に登録しておいても良い。また、個人を特定できるメールアドレスや名前等を携帯端末６側から指定することにより、メール送信相手の携帯端末６Ａの携帯端末情報を情報端末装置７に表示することができる。また、メール送信相手の携帯端末６Ａの携帯端末情報は更新されることがあるため、通信中に最新データに更新して電話帳に登録することも可能である。
【００５４】
情報端末装置７は、メールそのものを表示するメール画像以外に、図８の（ａ）のように、メール送信相手の携帯端末６Ａの上筺体を含む携帯端末画像や、図８の（ｂ）のように、メール送信相手の携帯端末６Ａの上筺体に加え、機能ナビゲーションキー部分を含む携帯端末画像を表示させると共に、情報端末装置７のキーボードにない機能キーやナビゲーションキーに相当する部分をキーボードのファンクションキーに割り当てることもできる。また、図８の（ｃ）のように、メール送信相手の携帯端末６Ａの全体を含む携帯端末画像を表示することもできる。
【００５５】
メール情報は、通常はセキュリティー上、携帯端末６の方で保持しており、情報端末装置７はリモート端末として使用するようにするが、セキュリティーが確保されている情報端末装置７では、携帯端末６と情報端末装置７に同じメール情報をもつことも可能であり、携帯端末６と情報端末装置７がお互い同期をとり、メール情報を常に最新版にすることもできる。
【００５６】
このように実施の形態２に係る通信システム５によれば、携帯端末６と情報端末装置７は、互いに無線で通信が可能な無線通信モジュール６１、７１を有し、また携帯端末２は、メール作成操作が行われた場合に無線通信モジュール６１を介してメール情報を情報端末装置７に送信し、情報端末装置７は、携帯端末６から送られてきたメール情報を表示部３３に表示するので、携帯端末６が有する電子メール機能を携帯端末６に外部接続される情報端末装置７で活用することができる。
【００５７】
また、メールの送信相手を指定した場合で、メール送信相手の携帯端末６Ａの携帯端末情報を持っている場合は、メール送信相手の携帯端末６Ａからのメール情報を情報端末装置７に送信するので、メール送信相手の携帯端末６Ａからのメール情報を情報端末装置７の大きな画面で見ることができ、メール送信相手からのメールを容易に読むことができる。
【００５８】
また、携帯端末６Ａの携帯端末情報を予め登録しておくことで、メールを作成する際に、電話帳からメールアドレスと携帯端末情報を読み出して情報端末装置７の画面に反映させることで、メール送信相手の携帯端末６Ａの表示部２５の仕様（液晶の解像度や形状）に合った位置で改行ができる。
【００５９】
また、メール送信相手の携帯端末６Ａで表示しているメール情報の他に、該携帯端末６Ａの外観の一部又は全部を示す端末画像情報を情報端末装置７に送信することで、メール送信相手の携帯端末６Ａのメール情報と携帯端末６Ａ自体を情報端末装置７の大きな画面で見ることができる。
【００６０】
図９は、本実施の形態の通信システム５の携帯端末６及び情報端末装置７の応用例のイメージ図を示したものである。図８では、テキストデータでイメージ図を示したが、図９のような画像データの場合は、携帯端末６の表示解像度の関係から、情報端末装置７にデータを送るメール送信相手の携帯端末６Ａの表示解像度と携帯端末６の表示解像度が異なることが考えられる。このような場合に、予めデータを送るメール送信相手の携帯端末６Ａを情報端末装置７で表示させて、画像データを確認して送信することができる。これにより、画像データが切れてしまって見えない等の問題が生ずることがない。特に、ＷＱＶＧＡ（Wide Quarter VGA）やＷＶＧＡ（Wide VGA）で撮影した画像データをＱＶＧＡ（Quarter VGA）やＶＧＡ（Video Graphic Array）の液晶サイズの携帯端末に送信する場合などに活用できる。
【００６１】
なお、実施の形態２の携帯端末６が有する機能即ちメールの送信相手の携帯端末６Ａからのメール情報を情報端末装置７に送信する機能と同様の機能を実施の形態１の携帯端末２に持たせても良い。
【００６２】
また、実施の形態１は、携帯端末２と情報端末装置３とのインタフェースを有線で接続して、携帯端末６のメール内容を情報端末装置３に表示できるようにしたものであり、実施の形態２は、携帯端末６と情報端末装置７とのインタフェースを無線で接続して、メール送信相手の携帯端末６Ａのメール内容を情報端末装置７に表示できるようにしたものであるが、有線と無線のインタフェース及び携帯端末６とメール送信相手の携帯端末６Ａのメール内容の表示方法の組合せの選択については、自由に選択することができる。
【産業上の利用可能性】
【００６３】
本発明は、携帯端末が有する電子メール機能を携帯端末に外部接続される機器で活用することができるといった効果を有し、携帯電話等の携帯端末やパソコン等の情報端末装置に適用が可能である。
【図面の簡単な説明】
【００６４】
【図１】本発明に係る実施の形態１に係る通信システムの概略構成を示すブロック図
【図２】図１の通信システムにおける携帯端末と情報端末装置との間のデータのやりとりを示すシーケンス図
【図３】図１の通信システムにおける携帯端末と情報端末装置におけるメール操作における動作を説明するためのフロー図
【図４】図１の通信システムにおける携帯端末及び情報端末装置の使用形態を示す図
【図５】本発明に係る実施の形態２に係る通信システムの概略構成を示すブロック図
【図６】図５の通信システムにおける携帯端末と情報端末装置におけるメール操作における動作を説明するためのフロー図
【図７】図５の通信システムにおける携帯端末及び情報端末装置の使用形態を示す図
【図８】図５の通信システムにおける携帯端末及び情報端末装置の使用形態を示す図
【図９】図５の通信システムの応用例における携帯端末及び情報端末装置の使用形態を示す図
【符号の説明】
【００６５】
１、５  通信システム
２、６、６Ａ  携帯端末
３、７  情報端末装置
２１  無線部
２２、６２、７２  アンテナ
２３、３１  キーボード
２４、３２  メモリ
２５、３３  表示部
２６、３４  インタフェース部
２７、３５  制御部
６１、７１  無線通信モジュール
【図１】
2008310583.tif 000003
【図２】
2008310583.tif 000004
【図３】
2008310583.tif 000005
【図４】
2008310583.tif 000006
【図５】
2008310583.tif 000007
【図６】
2008310583.tif 000008
【図７】
2008310583.tif 000009
【図８】
2008310583.tif 000010
【図９】
2008310583.tif 000011